(57)【要約】【課題】洗剤タンクと洗剤供給路との接続部位から垂れた洗剤が便器内部に浸入するのを防止でき、便器内部の定期的な掃除やタンクホルダーの掃除の手間を省くこと。【解決手段】洗剤タンク３を着脱自在に保持するタンクホルダー４に、洗剤タンク３と洗剤供給路８との接続部位の下方に配置されて該接続部位から垂れる洗剤を受ける洗剤受部１２と、該洗剤受部１２で受けた洗剤をタンクホルダー４の底面部４ａへ誘導するための上下流路形成用の誘導リブ４５とをそれぞれ設けると共に、タンクホルダー４の底面部４ａにおける洗剤タンク載置部６との非接触位置に、該底面部４ａに誘導された洗剤を便器１０の外側方Ｂに向けて流出させるための流出路１４を設けた便器装置１である。【選択図】図１
2011094329.tif 000002
【特許請求の範囲】
【請求項１】
便器に取り付けたタンクホルダーに、便器のボウル部を洗浄する洗浄水に洗剤供給路を介して洗剤を供給する洗剤タンクを着脱自在に保持すると共に、洗剤タンクに設けた洗剤出入部と洗剤供給路に設けた接続口とを着脱接続自在とすると共に洗剤タンクを便器外部に取り出し自在とした便器装置であって、上記タンクホルダーに、上記洗剤タンクと洗剤供給路との接続部位の下方に配置されて該接続部位から垂れる洗剤を受ける洗剤受部と、該洗剤受部で受けた洗剤をタンクホルダーの底面部へ誘導するための上下流路形成用の誘導リブとをそれぞれ設けると共に、上記タンクホルダーの底面部における洗剤タンク載置部との非接触位置に、該底面部に誘導された洗剤を便器の外側方に向けて流出させるための流出路を設けて成ることを特徴とする便器装置。
【請求項２】
上記流出路は、タンクホルダーの底面部における洗剤タンク載置部よりも低い部位に一体に形成されていると共に、便器の外側方に向かう程高さが低くなるように傾斜していることを特徴とする請求項１記載の便器装置。
【請求項３】
上記流出路は、便器の外側方に突出して配置されるタンクカバーで覆われると共に、該タンクカバーの底壁に、流出路から滴下する洗剤を便器の外側方に排出するための排出孔を形成したことを特徴とする請求項１又は請求項２記載の便器装置。
【発明の詳細な説明】
【技術分野】
【０００１】
本発明は、便器に取り付けたタンクホルダーに洗剤タンクを着脱自在に保持する便器装置に関するものである。
【背景技術】
【０００２】
従来から、便器のサイドカバー内に洗剤タンクを着脱自在に保持するタンクホルダーを配設し、洗剤タンクの洗剤出入部から供給される洗剤を洗浄水流路に混ぜることで、泡発生液を泡立てて便器のボウル部を洗浄するようにしたものが特許文献１により知られている。
【０００３】
ところで、洗剤の使用により洗剤タンク内の洗剤は目減りするものであるため、洗剤タンクには洗剤を補充する必要があり、そこで、上記特許文献１に見られる従来例では、便器内のタンクホルダーから洗剤タンクを取り外して、便器外部で洗剤を補給するようにしている。
【０００４】
しかし、洗剤タンクを便器内部のタンクホルダーから取り外すときには、洗剤タンクの洗剤出入部を洗剤供給路の接続口から抜き取る必要があり、このとき、洗剤供給路内に残っている洗剤が接続口から液垂れしてタンクホルダー内部に溜まり、この溜まった洗剤が便器内部に浸入すると、便器内部のフレーム等の部品に洗剤が付着して錆発生や腐食の原因となる場合がある。このため定期的に便器のサイドカバーを取り外して便器内部の掃除を行う必要があり、とくに狭いトイレルームでは困難を伴うものであった。そのうえ、タンクホルダー内部に洗剤が溜まると洗剤タンクの表面にも洗剤が付着して、洗剤タンクの洗剤汚れを招くという問題もある。
【先行技術文献】
【特許文献】
【０００５】
【特許文献１】特開２００９−１０８５０９号公報
【発明の概要】
【発明が解決しようとする課題】
【０００６】
本発明は上記の事情に鑑みてなされたものであって、その目的とするところは、洗剤タンクと洗剤供給路との接続部位から垂れた洗剤が便器内部に浸入するのを防止でき、便器内部の定期的な掃除やタンクホルダーの掃除の手間を省くことができ、清掃性に優れた便器装置を提供するものである。
【課題を解決するための手段】
【０００７】
前記の課題を解決するために、本発明は、便器１０に取り付けたタンクホルダー４に、便器１０のボウル部１５を洗浄する洗浄水に洗剤供給路８を介して洗剤を供給する洗剤タンク３を着脱自在に保持すると共に、洗剤タンク３に設けた洗剤出入部３ａと洗剤供給路８に設けた接続口８ａとを着脱接続自在とすると共に洗剤タンク３を便器１０外部に取り出し自在とした便器装置であって、上記タンクホルダー４に、上記洗剤タンク３と洗剤供給路８との接続部位の下方に配置されて該接続部位から垂れる洗剤を受ける洗剤受部１２と、該洗剤受部１２で受けた洗剤をタンクホルダー４の底面部４ａへ誘導するための上下流路形成用の誘導リブ４５とをそれぞれ設けると共に、上記タンクホルダー４の底面部４ａにおける洗剤タンク載置部６との非接触位置に、該底面部４ａに誘導された洗剤を便器１０の外側方Ｂに向けて流出させるための流出路１４を設けて成ることを特徴としている。
【０００８】
このような構成とすることで、洗剤タンク３を取り出す際に洗剤供給路８内に残った洗剤が接続口８ａから液垂れしても、この洗剤は洗剤受部１２で受けられて誘導リブ４５間の上下流路４６を伝ってタンクホルダー４の底面部４ａへ誘導され、さらに流出路１４を伝って便器１０の外側方Ｂへ排出される。これにより、洗剤が便器１０内部に浸入するおそれがなくなり、しかも流出路１４からの洗剤の流出位置は、便器１０の外側方Ｂの決まった位置に定められるので、洗剤の拭き取りも容易となる。さらに、タンクホルダー４内部に洗剤が溜まりにくいので洗剤タンク３表面への洗剤の付着も防止できる。
【０００９】
また、上記流出路１４は、タンクホルダー４の底面部４ａにおける洗剤タンク載置部よりも低い部位に一体に形成されていると共に、便器１０の外側方Ｂに向かう程高さが低くなるように傾斜しているのが好ましい。この場合、タンクホルダー４に流出路１４を一体化して構造をシンプル化できると共に、流出路１４の傾斜に沿って洗剤がスムーズに便器１０の外側方Ｂヘ排出されるので、タンクホルダー４内部に洗剤が溜まるのを一層防止できる。
【００１０】
また、上記流出路１４は、便器１０の外側方Ｂに突出して配置されるタンクカバー５で覆われると共に、該タンクカバー５の底壁に、流出路１４から滴下する洗剤を便器１０の外側方Ｂに排出するための排出孔５ａを形成するのが好ましい。この場合、タンクカバー５により流出路１４を覆うことで、流出路１４が露出せずに外観が向上すると共に、トイレ掃除時に飛散した洗剤入り洗浄水が流出路１４を逆流して便器１０内部に浸入するのを防止できるようになり、しかもタンクカバー５の排出孔５ａ付き底壁を利用して流出路１４から便器１０の外側方Ｂへの洗剤排出を支障なく行うことができる。
【発明の効果】
【００１１】
本発明は、洗剤タンクと洗剤供給路との接続部位から液垂れした洗剤を洗剤受部と上下流路形成用の誘導リブと流出路とを介して便器の外側方に向けて流出させることにより、便器内部への洗剤の浸入が防がれ、便器内部の掃除を定期的に行う必要がなくなる。また便器の外側方の決まった位置に洗剤排出部から洗剤を滴下させることにより、洗剤の拭き取りが容易となり、さらにタンクホルダー内部に洗剤が溜まりにくいので、洗剤タンクの表面の洗剤汚れを防止できるものである。
【図面の簡単な説明】
【００１２】
【図１】本発明の実施形態の一例を示し、洗剤タンクと洗剤供給路との接続部位から液垂れした洗剤を便器の外側方に排出する状態を説明するタンクホルダーの斜視図である。
【図２】同上の洗剤タンクの洗剤出入部と洗剤供給路の接続口との着脱接続構造を説明する斜視図である。
【図３】同上のタンクホルダー付近の側面断面図である。タンクカバーの洗剤排出部が設けられる部分を前下方から見た斜視図である。
【図４】（ａ）は同上の流出路から洗剤が滴下する状態を説明する便器装置全体の斜視図であり、（ｂ）は洗剤タンクと流出路とをタンクカバーで覆った状態を説明する斜視図である。
【図５】同上の便器装置の概略側断面図である。
【図６】同上の便器装置の要部であり、（ａ）は斜視図であり、（ｂ）は側断面図である。
【発明を実施するための形態】
【００１３】
以下、本発明を添付図面に示す実施形態に基いて説明する。
【００１４】
本例の便器装置１は、図５に示すように、主体を構成する便器１０に対して、洗剤供給手段２を付設した洗浄水吐水装置１１や局部洗浄装置（図示せず）やトラップ装置１３などの各種装置を一体に収めて配備して構成された水洗便器である。
【００１５】
便器１０は上記各種装置１１、１３等を収容するハウジングで覆われており、本例のハウジングは合成樹脂製であって、便器装置１の前部域には上面に開口するボウル部１５が設けられている。便器装置１の後部域では、ボウル形成パーツ１５ａやサイドカバー１６にて囲繞された空間である機器収納部１７が形成され、この機器収納部１７に対して洗浄水吐水装置１１や局部洗浄装置やトラップ装置１３が収められて配設されている。ここでは、ボウル部１５を形成するボウル形成パーツ１５ａ、便器装置１の外殻を形成するサイドカバー１６を溶着一体化させて形成している。
【００１６】
トラップ装置１３は、機器収納部１７の下部域に設けられる。本例のトラップ装置１３は、節水効果の期待できるターントラップ方式であり、つまりボウル部１５の下部から背方に突設した排水筒部１８に対して接続したフレキシブルなトラップ筒１９が、モータにより上下に回動駆動されて、ボウル部１５内の溜水３５を排水できる構造を有する。
【００１７】
洗浄水吐水装置１１は、機器収納部１７におけるトラップ装置１３の上方域に設けられる。ここで、便器１０の後部上部は、ボウル部１５の上面レベルよりも上方に立ち上がった立上り部２０とされており、洗浄水吐水装置１１や局部洗浄装置等を収める機器収納部１７を広く採り得る構造となっている。立上り部２０の左右方向の両側端部にはボウル部１５上に位置される便座２１や便蓋２２が起倒自在に枢支されている。ボウル部１５の開口縁後部に臨む立上り部２０の前部の下縁部位には、用便後にボウル洗浄水を流す洗浄水吐水装置１１の洗浄水吐出口２３が開設されている。
【００１８】
本例の洗浄水吐水装置１１は、装置の小型化を期待できるタンクレス方式であり、つまり水源である上水道からボウル部１５に至る洗浄水流路２４を有し、洗浄水流路２４に配置した洗浄水開閉弁２５の開閉によって、ボウル洗浄水を洗浄水流路２４の下流端の洗浄水吐出口２３からボウル部１５内に吐出できる構造のものが採用されている。このタンクレス方式の場合、ボウル洗浄水の搬送圧として水道圧をそのまま利用したり、洗浄水流路２４に圧送ポンプを設けて洗浄水を圧送させることもできる。これ以外の構造、たとえば水源としてのロータンクの貯留水を開閉弁を介して流すタンク方式のものも採用できる。なお、洗浄水吐水装置１１の洗浄水開閉弁２５の開閉動作やトラップ装置１３のトラップ筒１９の回動動作は、使用者の操作部（図示せず）の操作に基づいて機器収納部１７に内装した制御部（図示せず）によって適宜制御される。上記の洗浄水吐出口２３はボウル部１５の開口縁後部における幅方向の一方に設けられているので、吐出されたボウル洗浄水はボウル部１５内を隈なく且つ勢い良く旋回する旋回流となり、ボウル部１５内の汚物を一気に流し得るようにされている。
【００１９】
更に言うと、本例の洗浄水吐水装置１１には、図６に示すように、ボウル洗浄水に空気を混入してこの空気を微細化して微細気泡を生成してボウル洗浄水に含有させる微細気泡発生手段２７が設けられる。微細気泡をボウル洗浄水に含有させると、嵩比重の低下による節水効果、ボウル洗浄水のボウル部１５の内面への衝突の際の摩擦低減による静音化や水跳ね防止効果は勿論のこと、微細気泡がボウル部１５の内壁に衝突して破裂する際に発生する衝撃波や気泡界面が有する吸着特性などによって、ボウル部１５の内壁に付着する汚物を強力に剥がして吸着できる気泡洗浄効果も期待できる。
【００２０】
具体的には、微細気泡発生手段２７は、図６に示すように、洗浄水流路２４に空気混入部２８を設けると共にこの下流にベンチュリー管状の圧力急変部２９を設けて成る管材２７ａにて構成される。空気混入部２８は、洗浄水流路２４の径を絞ったノズル部２８ａの周辺に逆止弁３０（図５）を備えた空気供給管３１を接続して成り、ノズル部２８ａに生じる負圧によって空気をボウル洗浄水内に隈なく混入させ得るようにしてある。圧力急変部２９は、上流側から順に、径を絞る縮径部３２、絞られた径の咽喉部３３、径を拡げる拡径部３４が連設された構造を有し、上記空気混入部２８にてボウル洗浄水に混入した空気は、ボウル洗浄水が圧力急変部２９を流れる際に、まず縮径部３２及び咽喉部３３での内圧降下にて膨張され、続けて拡径部３４での内圧上昇にて剪断力や衝撃波が作用されて破砕され微細化される。微細気泡発生手段２７としては混入空気をボウル洗浄水内に溶解させた後に析出させるタイプも用いることができるが、このタイプだと溶解タンクが必要になって大型化するので、本例のような剪断力等を利用して混合空気を破砕して微細化させる管材２７ａで構成されるタイプのものを好適に用いることができる。
【００２１】
洗剤供給手段２は、洗浄水流路２４に設けた洗剤混合部７に対して洗剤タンク３から至る洗剤供給路８が接続され、洗剤供給路８に設けた洗剤用ポンプ３６を駆動すると共に洗剤供給路８に設けた洗剤用開閉弁３７が開かれることで、洗剤混合部７にてボウル洗浄水に対して洗剤タンク３内に貯留した液状の中性洗剤から成る洗剤を混合させて洗剤混合水を生成するようにされている。詳しくは、本例の洗剤供給路８は、往路部の始端と復路部の終端とが洗剤タンク３内に位置する循環経路部３８と、循環経路部３８の途中から分岐して洗浄水流路２４の洗剤混合部７に至る供給経路部３９とを有している。洗剤用ポンプ３６は循環経路部３８に設けられ、洗剤用開閉弁３７は供給経路部３９の下流端に設けられている。洗剤用ポンプ３６を駆動すると洗剤タンク３に貯留された洗剤が循環経路部３８を循環するので、洗剤が洗剤供給路８内で固化等して詰まることが防止されている。また、洗剤混合部７は、洗浄水流路２４の流路径を絞って流れるボウル洗浄水に負圧を発生させる部位となっており、本例では管材２７ａの咽喉部３３で構成されている。洗剤用開閉弁３７は、洗剤混合部７でのボウル洗浄水の負圧がかかると共に、洗剤用ポンプ３６が駆動してポンプ圧がかかった場合に開くようにされていて、一定の洗剤がボウル洗浄水内に混入されるようになっている。
【００２２】
洗剤混合水は洗浄水流路２４を経て洗浄水吐出口２３からボウル部１５内に供給される。洗浄水吐出口２３から吐出された洗剤混合水は、上述したように旋回流になってボウル部１５の内面に隈なく行きわたり、洗剤混合水に含有する洗剤による洗剤洗浄効果をボウル部１５の内面に隈なく発揮させて効果的な洗浄が可能にされている。更に言うと、洗剤混合水はボウル洗浄水に比べて水の表面張力（粘性）が低下し、微細気泡発生手段２７で発生する微細気泡の径をｍｍオーダーからμｍオーダーにまで小さくできる効果も有する。μｍオーダーの微細気泡はｍｍオーダーの微細気泡に比べて格段に割れにくい性質を有する。したがって、本例の便器装置１では、ボウル部１５の洗浄動作におけるボウル部１５内に溜水３５が形成されるタイミングで洗剤混合水を生成させ、気泡を長期に亙って残留させた溜水３５を形成させて、溜水３５の喫水線付近の汚れ付着防止を図るように、制御部による制御がなされている。
【００２３】
ところで、洗剤は洗剤供給手段２の使用により目減りするため、洗剤タンク３には洗剤を補充するなど定期的なメンテナンスが必要とされる。
【００２４】
そこで、図４（ａ）に示すように、便器装置１のサイドカバー１６の一部にタンクカバー５で開閉される突出用孔１６ａを設け、突出用孔１６ａの内側に、洗剤タンク３を着脱自在に収納してある。洗剤タンク３の洗剤補給時には洗剤タンク３を突出用孔１６ａから外方に取り外すことができる。洗剤タンク３は後述のタンクホルダー４に着脱自在に保持されており、タンクホルダー４の清掃時にはタンクホルダー４もまた突出用孔１６ａから外方に取り出し可能とされている。
【００２５】
洗剤タンク３は、図２に示すように、略直方体状の容器であり、その上面部には洗剤供給路８の接続口８ａに接続させる接続継手となる洗剤出入部３ａとキャップ付き洗剤補給口部３ｂとが設けられている。また洗剤供給路８を構成する循環経路部３８（図５）の往路部の始端と復路部の終端とが、接続金具８ｂに設けた２つの循環経路部側接続口８ｃにそれぞれ接続され、該接続金具８ｂに設けた２つの接続口８ａに洗剤タンク３の洗剤出口部と洗剤戻り部（以下「洗剤出入部３ａ」と称する）がそれぞれ着脱自在に接続可能とされる。
【００２６】
さらに、２つの接続口８ａの近傍には、洗剤タンク３の各洗剤出入部３ａを各接続口８ａに導く庇状の接続ガイド部９が接続口８ａよりも前方に突出するように設けられており、洗剤タンク３をタンクホルダー４の洗剤タンク載置部６に載せた状態で、洗剤タンク３の洗剤出入部３ａ,３ａが接続ガイド部９の両側に沿って、洗剤供給路８の接続口８ａ,８ａに接続可能とされる。
【００２７】
ここで、本例の便器装置１にあっては、洗剤タンク３を取り外して洗剤補充を行う時に洗剤供給路８内に残った接続口８ａから垂れる洗剤により、その後装着される洗剤タンク３の表面が汚れないようにする工夫が施されており、以下に詳述する。
【００２８】
タンクホルダー４の背面壁部４ｂの上端背後には、図１に示すように、前述した接続金具８ｂが取り付けられており、この接続金具８ｂの接続口８ａの下方に臨ませて洗剤受部１２が配置されている。洗剤受部１２は、タンクホルダー４の背面壁部４ｂの上端から後方に凹ませて形成された、上方に開放された横樋形状に形成されている。本例では、洗剤受部１２の中央側が最も低く、両側が中央よりも高くなるように傾斜している。中央側には後端から前端に行く程低くなるように下り傾斜した中央傾斜部１２ａが形成されており、その左右両側に中央傾斜部２１ａから離れる程高さが高くなるように傾斜した両側傾斜部１２ｂがそれぞれ形成されている。本例の洗剤受部１２は、洗剤タンク３の着脱時に洗剤供給路８の接続口８ａから液垂れする洗剤を受けるのみならず、洗剤タンク３と洗剤供給路８との接続状態で当該接続部位から液垂れする洗剤も受けることができるものである。
【００２９】
タンクホルダー４の背面壁部４ｂの中央部側には、背面壁部４ｂの前方に向けて左右一対の誘導リブ４５が並設されており、誘導リブ４５間に上下流路４６が形成されている。上下流路４６の上端は、洗剤受部１２の中央傾斜部１２ａの真下位置で、中央傾斜部１２ａの前端に向かってラッパ状に拡開しており、上下流路４６の下端はタンクホルダー４の底面部４ａまで達している。本例の誘導リブ４５はタンクホルダー４の背面壁部４ｂに沿って上下流路４６を形成する役目と、洗剤タンク３の側面が上下流路４６に直接触れないようにする役目とを有している。
【００３０】
なお、誘導リブ４５を設ける位置は背面壁部４ｂの中央側に限らず、背面壁部４ｂの左右両側のいずれかに寄せて設けられてもよく、この場合、後述する流出路１４の一端を上下流路４６の下端まで延ばすようにすればよい。
【００３１】
タンクホルダー４の底面部４ａの左右両側には、洗剤タンク３を載せる洗剤タンク載置部６が設けられており、中央側には洗剤タンク載置部６よりも一段低い位置に、上方に開放された横樋状の流出路１４が前後方向に長く形成されている。この流出路１４の一端は前述した上下流路４６の下端と連通しており、他端はタンクホルダー４の底面部４ａの前縁部よりもさらに便器１０の外側方Ｂに向けて突出している。
【００３２】
しかして、上記洗剤タンク３を便器１０の外部に取り出す際に、洗剤供給路８内に残った洗剤が接続口８ａから液垂れしても、この洗剤は洗剤受部１２で受けられ、洗剤受部１２の中央傾斜部１２ａから誘導リブ４５間の上下流路４６を伝ってタンクホルダー４の底面部４ａへ誘導され、さらに流出路１４を伝って便器１０の外側方Ｂへ排出される。従って、洗剤が便器１０内部に浸入するおそれがなくなり、便器１０内部の定期的な掃除の手間を省くことができる。しかも流出路１４からの洗剤の流出位置は、便器１０の外側方Ｂの決まった位置に定められるので、洗剤の拭き取りも容易となる。さらに、タンクホルダー４内部に洗剤が溜まりにくいと共に、上下流路４６や流出路１４に洗剤タンク３が直接触れにくいため、洗剤タンク３表面に洗剤が付着することも極力防止できる利点がある。
【００３３】
また本例の流出路１４は、タンクホルダー４の底面部４ａにおける洗剤タンク載置部よりも低い部位に一体に形成されているので、タンクホルダー４に流出路１４を一体化して構造をシンプル化できるものであり、そのうえ、タンクホルダー４の背面壁部４ｂの上端部に洗剤受部１２を一体形成し、タンクホルダー４の背面壁部４ｂに上下流路４６形成用の誘導リブ４５を一体形成しているので、部品数が増加することなく、タンクホルダー４単体で洗剤の排出経路を確保できるものである。
【００３４】
さらに上記流出路１４を便器１０の外側方Ｂに向かう程高さが低くなるように傾斜させるのが望ましい。このようにすることで、タンクホルダー４内部の洗剤がスムーズに排出され、タンクホルダー４内部に洗剤が溜まるのを一層防止できるようになる。
【００３５】
図４（ｂ）は流出路１４を便器１０の外側方Ｂに突出して配置されるタンクカバー５で覆うようにした一例である。タンクカバー５により流出路１４が露出しないため外観が向上すると共にトイレ掃除時に飛散した洗剤入り洗浄水が流出路１４を逆流して便器１０内部に浸入するのを防止できる。しかも、このタンクカバー５の底壁に、流出路１４から滴下する洗剤を便器１０の外側方Ｂに排出するための排出孔５ａを形成しているので、この排出孔５ａから洗剤排出を支障なく行うことができる。なお、タンクカバー５は便器１０に対して取り外される構造、或いは回動して開く構造のいずれであってもよい。
【００３６】
前記各実施形態では、流出路１４がタンクホルダー４の底面部４ａに一体に形成される場合を例示したが、必ずしもこれに限らず、タンクホルダー４とは別体の流出路１４を構成する部材をタンクホルダー４の底面部４ａに取り付けることも可能である。
【００３７】
また前記実施形態では、便器装置１として合成樹脂製のものを例示したが、たとえば合成樹脂製のサイドカバー１６と陶器製のボウル部１５とで成る樹脂と陶器との組み合わせ型を用いたり、ボウル部１５やサイドカバー１６を一体の陶製成形物で構成した従来一般の陶器製を用いることもできる。
【００３８】
また、上記実施形態では、タンクホルダー４は便器装置１の後部の下部に配設してあるが、他の部位に配設してもよい。
【符号の説明】
【００３９】
１  便器装置
３  洗剤タンク
３ａ  洗剤出入部
４  タンクホルダー
４ａ  底面部
５  タンクカバー
８  洗剤供給路
８ａ  接続口
１０  便器
１２  洗剤受部
１４  流出路
１５  ボウル部
１６  サイドカバー
４５  誘導リブ
４６  上下流路
Ｂ  便器の外側方
【図１】
2011094329.tif 000003
【図２】
2011094329.tif 000004
【図３】
2011094329.tif 000005
【図４】
2011094329.tif 000006
【図５】
2011094329.tif 000007
【図６】
2011094329.tif 000008